(57)【特許請求の範囲】
【請求項１】
インターネット１００上に船舶サーバ１０１と、検査サーバ１０２と、証明サーバ１０３が接続されており、
前記検査サーバ１０２は、船舶から排水されるバラスト水がバラスト水排出基準値を超えているか否かを判定した判定結果を取得し、超えている場合には、バラスト水排出基準値を超えているか否かを正確に確認するために前記証明サーバ１０３に精密判定を依頼する信号を送信し、
該証明サーバ１０３は、精密判定を依頼されたサンプルがバラスト水排出基準値を超えているか否かを判定した精密判定結果を、前記検査サーバ１０２に送信し、
該検査サーバ１０２は、受信した前記精密判定結果が、バラスト水排出基準値を超えていることを示す場合には、前記船舶が排出基準を満たしていない違反船舶であることを確認できる仕組みを構築することを特徴とする船舶管理システム。
【請求項２】
前記バラスト水排出基準値を超えていることを示す前記精密判定結果を取得した検査サーバ１０２は、違反対象の船舶サーバ１０１に対して改善を求める改善指示信号を送信することを特徴とする請求項１記載の船舶管理システム。
【発明の詳細な説明】
【技術分野】
【０００１】
本発明は、世界中の船舶を、バラスト水の排出基準を満たす船舶に変えていくことができ、微生物コンタミの問題を根本的に解決し得る船舶管理システムに関する。
【背景技術】
【０００２】
２００４年２月に開催された船舶バラスト水管理に関する国際会議において、「船舶のバラスト水および沈殿物の規制および管理のための国際条約」（バラスト水管理条約）が４本の会議決議と共に採択された。
【０００３】
船舶のバラスト水管理の国際会議は、その決議１で条約の統一的適用のため機関に緊急事項としてガイドラインを作成するよう要請し、この決議の付属書に記載されているバラスト水サンプリングのガイドライン（Ｇ２）を採択した。
【０００４】
このＧ２の目的は、船舶が９条の船舶検査に基づきバラスト水管理条約に準拠しているかを決定するために、バラスト水サンプリング及び分析の実用的かつ技術的ガイダンスを、ＰＳＣ（Port State Control）検査官を含む締約国に提供することである。
【０００５】
条約の規則Ｄ−２は２つのサイズ分野の生物及び指標微生物に言及している。規則Ｄ−２に基づくバラスト水管理を実施する船舶は以下を排出することとされている。
【０００６】
１．最小サイズが５０μｍ以上の生物については、１ｍ３当たり１０未満の生存可能生物；
２．最小サイズが５０μｍ以上５０μｍ以下の生物については、１ｍＬ当たり１０未満の生存可能生物；
３．指標微生物の排出は以下を超えてはならない：
（ｉ）病毒性コレラ菌（Ｏ−１及びＯ−１３９）については、１ｃｆｕ／１００ｍＬ未満（ここで、ｃｆｕ；colony forming unit）、又は動物プランクトンのサンプル１ｃｆｕ/1ｇ未満（湿重量）；
（ｉｉ）大腸菌については、２５０ｃｆｕ／１００ｍＬ未満；及び
（ｉｉｉ）腸球菌については、１００ｃｆｕ／１００ｍＬ未満
【０００７】
近時、バラストタンク内に微生物処理した海水を積み込んだ後に、そのバラスト水を排出する際の微生物の再増殖が問題になっており、上記の管理基準はその再増殖を許容してはいない。
【０００８】
Ｇ２の目的を達成するためには、貨物を積載した船舶が港湾に入港し、その港湾でバラスト水を排出する際に、今後、ＰＳＣ検査官の検査を受けることになるが、その検査によって、種々の管理基準違反の事例が摘発されるおそれがある。
【０００９】
例えば、船舶に微生物処理設備を持たない船舶では、微生物処理設備で海水を処理してバラストタンクに汲み上げる必要がある。しかし、処理していない海水をバラストタンクに汲み上げた場合には、管理基準を満足しない。
【００１０】
微生物処理設備を備えている船舶であっても、再増殖における違反事例にならないために、排出時にモニタリングして処理する必要がある（特許文献１）。
【００１１】
しかしながら、港湾に入港する船舶の中には、基準を満たすためのバラスト水処理装置を備えていないものや、備えていても故障等により正常に作動されていない状態であるような船舶（所謂サブスタンダード船）もある。
【００１２】
たとえ１隻の船舶からであっても、基準を満たさないバラスト水が排出されると、その港湾や海洋で、微生物コンタミの問題が発生する。
【００１３】
このために、世界的な規模での船舶管理が意味を持ち、時間をかけてバラスト水の排出基準を満たす船舶に変えていく努力が求められ、そのような課題を解決するシステムが求められる。
【先行技術文献】
【特許文献】
【００１４】
【特許文献１】特開２００９−１１２９７８号公報
【発明の概要】
【発明が解決しようとする課題】
【００１５】
そこで、本発明の課題は、世界中の船舶を、バラスト水の排出基準を満たす船舶に変えていくことができ、微生物コンタミの問題を根本的に解決し得る船舶管理システムを提供することにある。
【００１６】
また本発明の他の課題は、以下の記載によって明らかとなる。
【課題を解決するための手段】
【００１７】
上記課題は、以下の各発明によって解決される。
【００１８】
（請求項１）
インターネット１００上に船舶サーバ１０１と、検査サーバ１０２と、証明サーバ１０３が接続されており、
前記検査サーバ１０２は、船舶から排水されるバラスト水がバラスト水排出基準値を超えているか否かを判定した判定結果を取得し、超えている場合には、バラスト水排出基準値を超えているか否かを正確に確認するために前記証明サーバ１０３に精密判定を依頼する信号を送信し、
該証明サーバ１０３は、精密判定を依頼されたサンプルがバラスト水排出基準値を超えているか否かを判定した精密判定結果を、前記検査サーバ１０２に送信し、
該検査サーバ１０２は、受信した前記精密判定結果が、バラスト水排出基準値を超えていることを示す場合には、前記船舶が排出基準を満たしていない違反船舶であることを確認できる仕組みを構築することを特徴とする船舶管理システム。
【００１９】
（請求項２）
前記バラスト水排出基準値を超えていることを示す前記精密判定結果を取得した検査サーバ１０２は、違反対象の船舶サーバ１０１に対して改善を求める改善指示信号を送信することを特徴とする請求項１記載の船舶管理システム。
【発明の効果】
【００２０】
本発明によれば、世界中の船舶を、バラスト水の排出基準を満たす船舶に変えていくことができ、微生物コンタミの問題を根本的に解決し得る船舶管理システムを提供することができる。
【図面の簡単な説明】
【００２１】
【図１】本発明に係る船舶管理システムの一例を示す概略図
【図２】本発明に係る船舶管理システムを構成する船舶の一例を示す概略図
【図３】本発明に係るＰＳＣの処理フローの一例を説明する図
【図４】本発明に係るＰＳＣの処理フローの他の例を説明する図
【図５】本発明に係る船舶管理システムを構成する船舶の他の例を示す概略図
【図６】バラストタンクに対して設けられる模擬バラストタンクの一例を説明する図
【図７】バラストタンクに対して設けられる模擬バラストタンクの他の例を説明する図
【発明を実施するための形態】
【００２２】
図１は、本発明に係る船舶管理システムの一例を示す概略図である。
【００２３】
インターネット１００に、船舶１に搭載された船舶サーバ１０１、寄港国の検査サーバ１０２、寄港国の証明サーバ１０３が接続されている。
【００２４】
また、インターネット１００に、寄港国の主管庁サーバ１０４、旗国（船籍国）の主管庁サーバ１０５、旗国の船級協会サーバ１０６、旗国の船舶管理会社サーバ１０７、旗国の船社サーバ１０８、寄港国が所属するＭＯＵサーバ１０９、旗国が所属するＭＯＵサーバ１１０、閲覧サーバ１１１、ポータルサイトサーバＰが接続されていることも好ましい。
【００２５】
船舶サーバ１０１は、船舶１に搭載された状態で海洋上に配置されており、海洋無線通信手段（海洋ブロードバンド）により、インターネット１００に接続されている。
【００２６】
一方、寄港国の検査サーバ１０２、寄港国の証明サーバ１０３、寄港国の主管庁サーバ１０４、旗国（船籍国）の主管庁サーバ１０５、旗国の船級協会サーバ１０６、旗国の船舶管理会社サーバ１０７、旗国の船社サーバ１０８、寄港国が所属するＭＯＵサーバ１０９、旗国が所属するＭＯＵサーバ１１０、閲覧サーバ１１１、ポータルサイトサーバＰは、通常は陸上に設けられている。
【００２７】
図２は、本発明に係る船舶管理システムを構成する船舶１の一例を示す概略図である。
【００２８】
図２において、船舶１には、シーチェスト１１を介してバラスト水を取水する取水ポンプ１２が設けられ、バラストタンク１３にバラスト水を貯める。
【００２９】
バラスト水は、通常、海水であり、プランクトン、バクテリア、ウィルスなどの微生物が含まれている。
【００３０】
１４は、かかる微生物を殺滅及び又は分離除去して処理する微生物処理装置である。ここで、殺滅するというのは、薬剤によって殺菌する手法、紫外線殺菌する手法、物理的な衝撃や剪断力によって破壊したり、殺滅したりする手法などが挙げられる。また分離除去するというのは、ろ過膜などによる膜分離手法が挙げられる。更に殺滅及び又は分離除去というのは、殺滅と分離除去のいずれか一つの手法か、これらの組み合わせの手法であってもよいことを意味している。
【００３１】
殺滅する処理装置としては、オゾン、次亜塩素酸ナトリウム、塩素、二酸化塩素、過酸化水素等の活性物質を添加して殺菌する装置、紫外線殺菌装置などが挙げられる。また、物理的な衝撃を用いる装置として、衝撃波を用いた装置などが挙げられ、剪断力を用いた装置として、配管中に設置したスリットを用いた装置などが挙げられる。
【００３２】
殺滅及び又は分離除去処理装置１４で処理されたバラスト水は、船舶内のバラストタンク１３に移送され貯留される。
【００３３】
１５は、バラストタンク１３に貯留されているバラスト水を計測する計測装置であり、生存生物濃度測定装置１５ａ及び残留オキシダント濃度測定装置１５ｂを備えている。
【００３４】
１６は、バラストタンク１３からのバラスト水を海洋に排出するための排出口であり、１７は、排出されるバラスト水の一部をサンプリングするサンプリング装置である。
【００３５】
寄港先に向かう渡航中の船舶１のバラストタンク１３には、バラスト水の排出基準を満たすために、予め微生物を殺滅及び又は分離除去する処理が施されたバラスト水が貯留されている。
【００３６】
船舶１は、寄港先に向かう渡航中に、少なくとも当該船舶１内に貯留されているバラスト水の生存生物濃度を、好ましくは生存生物濃度及び残留オキシダント濃度の両方を、計測装置１５の生存生物濃度測定装置１５ａ及び残留オキシダント濃度測定装置１５ｂを用いて計測する。本発明において、「当該船舶１内に貯留されているバラスト水」の少なくとも一部は、寄港先の港湾域に排出されることが予定されたものである。
【００３７】
微生物濃度を測定する手法としては、例えばＡＴＰ（アデノシン三リン酸）法を採用できる。この方法は、細菌中のＡＴＰ量をホタルルシフェラーゼ発光法によって測定する方法で、生物発光の酵素反応を利用している。
【００３８】
また、微生物濃度を測定する手法としては、蛍光染色法を採用することもできる。この方法は、蛍光色素で染色した細菌を蛍光顕微鏡やフローサイトメーター（ＦＣＭ法）などの蛍光シグナルを検出する種々の装置により計数する。蛍光顕微鏡による生細菌数測定は、核酸やたんぱく質と特異的に結合する試薬（例えばＣＦＤＡ；カルボキシフルオロセインジアセテート）や、生細胞内のエステラーゼ活性により発光特性が変化する色素を用いて細胞を染色し、落射蛍光顕微鏡を用いると大きさ数ミクロンの生細胞を直接観察できる。この試薬で処理した試料では、死亡細胞は蛍光を発せず、生きた細胞のみが明るい粒子として観察されるので、この粒子をカウントすることにより生菌数が求められる。
【００３９】
一方、残留オキシダント濃度を測定する手法としては、格別限定されないが、オゾン濃度の測定には、ヨウ化カリウムとオキシダントとの反応に基づく反応生成物を測定するＫＩ法が好ましく用いられ、塩素濃度の測定には、ＤＰＤ（ジエチル−ｐ−フェニレンジアンモニウム）吸光光度法（例えばＪＩＳ  Ｋ０１０２  ３３．２）や、ポーラログラフ方式を用いたものが好ましく用いられる。
【００４０】
なお、残留オキシダント（ＴＲＯ）とは、中性ヨウ化カリウム溶液と反応し、ヨウ素を遊離する物質の総称であり、光化学オキシダント、オゾン等と同様の酸化性物質である。本発明において、残留オキシダントは、例えばバラスト水中の微生物の殺滅処理に際して該バラスト水中に添加された活性物質（薬剤）の残留物を含む。このような活性物質としては、格別限定されないが、オゾン、次亜塩素酸ナトリウム、塩素、二酸化塩素、過酸化水素等を好ましく例示できる。
【００４１】
微生物を殺滅及び又は分離除去する処理に際して、薬剤を用いない場合は、残留オキシダント濃度の計測は省略することができる。
【００４２】
以下の説明では、生存生物濃度及び残留オキシダント濃度の両方を計測する場合について説明する。
【００４３】
計測は、生存生物濃度及び残留オキシダント濃度の変化を時系列で動的に評価する観点で、船舶が寄港先に向かう渡航中に、間欠的に少なくとも２回以上行われる。
渡航中の船舶におけるバラスト水は、乗組員が手動計測してもよいし、自動計測としてもよい。
【００４４】
上述したように、本発明では、生存生物濃度と共に残留オキシダント濃度を計測することが好ましい。例えば、残留オキシダント濃度が高ければ、まだ殺菌作用があるから、バクテリア等の増殖は有り得ず、生存生物濃度の値の信頼性が高いと判断できる。
【００４５】
生存生物濃度及び残留オキシダント濃度を計測するための好ましい手法については、後に詳述する。
【００４６】
計測された生存生物濃度及び残留オキシダント濃度は、計測日時情報と関連付けられて、生存生物濃度データ及び残留オキシダント濃度データ（計測データ）として、船舶１に搭載された船舶サーバ１０１に入力される。データの入力は、自動化されてもよいし、手動で行われてもよい。
【００４７】
船舶サーバ１０１は、入力された計測データを、寄港先に向かう渡航中に、海洋ブロードバンドを通じて、インターネット１００上のポータルサイトサーバＰへ送信する。
【００４８】
ポータルサイトサーバＰへの送信は、１回の計測ごとに行われてもよいし、複数回の計測分をまとめ送信するようにしてもよい。
【００４９】
本発明では、乗組員による捏造を防止して計測値の信頼性を高める観点で、バラスト水の計測から、計測データの記録、及び計測データを船舶サーバ１０１から出力するまでの一連の工程を自動化することが好ましい。
【００５０】
ポータルサイトサーバＰには、船舶サーバ１０１から入力された、異なる日時における少なくとも２回以上の計測でそれぞれ得られた計測データ（以下、時系列の計測データという場合がある。）が格納される。
【００５１】
当該船舶１の寄港先である寄港国の証明機関が備える証明サーバ１０３は、当該船舶１の寄港前に、予めポータルサイトサーバＰから、当該船舶に係る時系列の計測データを取得する。
【００５２】
証明機関は、証明サーバ１０３が取得した、当該船舶１に係る時系列の計測データを分析し、バラスト水処理装置の殺滅／除去性能あるいは再増殖の有無などを推定する。
【００５３】
推定の精度を更に向上する観点から、証明サーバ１０３は、他国の証明機関が備える証明サーバ（不図示）に、時系列の計測データを送信することにより、これら寄港国の証明機関と他国の証明機関との間で協議を行うことが好ましい。
【００５４】
寄港国の証明機関は、推定に基づいて、当該船舶１が渡航中の段階において、つまり実際の排水が行われる前の段階において、条約への不適合を事前判定し、結果を証明サーバ１０３に入力する。
【００５５】
証明サーバ１０３は、事前判定結果を、ポータルサイトサーバＰに出力すると同時に、当該寄港国の検査機関が備える検査サーバ１０２に出力する。
【００５６】
本発明において、検査機関としては、具体的には、所定の港湾域を監督するＰＳＣ（ポートステートコントロール）検査機関等を好ましく例示できる。
【００５７】
ポータルサイトサーバＰは、入力された事前判定結果を、船舶サーバ１０１に出力する。
【００５８】
当該船舶１からポータルサイトサーバＰに、新たな計測データが出力された場合、証明サーバ１０３は再度計測データを取得し、再度事前判定を行い、その結果をポータルサイトサーバＰに出力する。ポータルサイトサーバＰは、入力された新たな事前判定結果を、当該船舶サーバ１０１に出力する。このようにして、当該船舶サーバ１０１に対して、事前判定結果を随時、好ましくは定期的に、発信することも好ましいことである。
【００５９】
船舶１は、船舶サーバ１０１が取得した事前判定結果が条約不適合を示す場合、バラスト水の排出前に、好ましくは渡航中に、微生物を殺滅及び又は分離除去する処理を再度行う等の対応を取ることが好ましい。
【００６０】
当該船舶１が寄港先に入港すると、当該港湾域の検査機関の検査官は、当該船舶１の立入り検査（ＰＳＣ）に入る。
【００６１】
当該検査機関の検査サーバ１０２が、予め事前判定結果を取得している場合における立入り検査について、ＰＳＣの処理フローの一例を、図３を用いて説明する。
【００６２】
寄港国の検査サーバ１０２は、当該船舶１について予め事前判定結果を取得している場合、その事前判定結果が良であるか否かを確認する（Ｓ１）。
【００６３】
事前判定結果が良（条約に適合）の場合、検査サーバ１０２は、当該船舶１について不備の有無を確認する（Ｓ２）。
【００６４】
不備の有無は、バラスト水管理条約の運用に係る項目について確認され、具体的には、下記の項目を好ましく例示できる。
・バラスト水管理証書が備えられているか
・船上で承認されたバラスト水管理計画が実行されているか
・船上でバラスト水記録簿が管理されているか
・型式承認証書が備えられているか
・バラスト水処理装置が適切に維持されているか
【００６５】
検査サーバ１０２は、不備を確認した結果、不備がなければ、検査を終了する（Ｓ３）。確認の結果、不備があれば、検査官は、該不備について是正勧告して検査を終了する（Ｓ４）。
【００６６】
事前判定結果が良であり、且つ重大な不備がない場合は、後述する簡易判定や精密判定は省略することができる。
【００６７】
一方、事前判定結果が良ではない（バラスト水が条約に不適合であると推定される）場合、検査サーバ１０２は、当該船舶１が、バラスト水の排出に際して再処理を行う手はずであるか否かを確認する（Ｓ５）。なお、「再処理を行う」とは、バラスト水の排出に際して、再度微生物を殺滅及び又は分離除去する処理を行うことを指す。
【００６８】
再処理する手はずである場合、上記Ｓ２と同様に不備の有無を確認し（Ｓ６）、不備がなければ、検査を終了する（Ｓ７）。不備があれば、検査官は、該不備について是正を勧告して検査を終了する（Ｓ８）。
【００６９】
再処理する手はずでない場合、上記Ｓ２と同様に不備の有無を確認する（Ｓ９）。
【００７０】
不備がなければ、検査官は、船舶１の乗員に、後述する精密判定のためのＧ８に則ったバラスト水のサンプリングを指示する（Ｓ１０）。指示を受けた船舶１の乗員は、Ｇ８に則ったサンプリング方法によりバラスト水のサンプリングを行い、これをサンプル水として梱包し、当該寄港国の証明機関へ発送する。寄港国の検査サーバ１０２は、当該寄港国の証明サーバ１０３に精密判定を依頼する信号を送信することが好ましい。
【００７１】
不備があれば、検査サーバ１０２は、該不備について是正を勧告して、上記と同様にＧ８に則ったサンプリングを指示し（Ｓ１１）、検査サーバ１０２は、好ましくは当該寄港国の証明サーバ１０３に精密判定を依頼する信号を送信する。
【００７２】
なお、上述したバラスト水管理条約の運用に係る項目について重大な不備がある場合、検査サーバ１０２は、事前判定結果が良であっても、当該船舶１から排出されるバラスト水が条約に適合するか否かの簡易判定を行うことが好ましい。
【００７３】
簡易判定は通常は検査官によって行われる。例えば、検査官は、バラスト水の排出口１６近傍に設置されているサンプリング装置１７にてサンプリングを行い、サンプリングされたバラスト水を必要により濃縮して、生存生物濃度を計測する。簡易判定において生存生物濃度を計測する手法としては、ＡＴＰ法が好ましい。ＡＴＰ法はバクテリアだけでなく、プランクトンも計測できる。
【００７４】
計測に際して、予め生存生物を大きさごとに分離して、大きさごとに計測することも好ましいことである。具体的には、サンプリングしたバラスト水を１０μｍ未満のフィルターで処理し、フィルターに捕捉された生存生物を洗浄水で洗い流したものを計測すれば、１０μｍ以上の生存生物を計量できる。フィルターを透過した透過水を計測すれば、１０μｍ未満の生存生物を計量できる。
【００７５】
このようにして、検査官は、計測された生存生物濃度に基づいて、バラスト水が条約に適合するか否かの簡易判定を行うことができる。
【００７６】
検査官が、簡易判定の結果、適合すると判定する場合は、検査サーバ１０２に入力して、検査を終了する。適合しないと判定する場合、検査官は、上記と同様に精密判定のためのＧ８に則ったサンプリングを、好ましくは検査サーバ１０２を介して指示する。寄港国の検査サーバは、好ましくは当該寄港国の証明サーバ１０３に精密判定を依頼する信号を送信する。
【００７７】
なお、不備が特に著しい場合、あるいは簡易判定の判定結果があまりにも悪い場合（生存生物濃度があまりにも高い場合）、検査官は、好ましくは検査サーバ１０２を介して、これ以上の排水を禁止する、更には当該船舶１を拘留する等の対応を取る信号を送信することもできる。
【００７８】
一方、検査機関の検査サーバ１０２が、予め事前判定結果を取得していない場合における立入り検査について、ＰＳＣの処理フローの一例を、図４を用いて説明する。
【００７９】
検査サーバ１０２が、予め事前判定結果を取得していない場合は、上述したバラスト水管理条約の運用に係る項目について不備の有無を確認する（Ｓ２１）。
【００８０】
不備がある場合、検査官は、当該船舶１から排出されるバラスト水の簡易判定を行う（Ｓ２２）。
【００８１】
検査官は、簡易判定の結果、適合すると判定する場合は、不備の是正を勧告して検査を終了する（Ｓ２３）。適合しないと判定する場合、検査官は、好ましくは検査サーバ１０２を介して不備の是正を勧告する信号を送信し、更に後述する精密判定のためのＧ８に則ったバラスト水のサンプリングを指示する（Ｓ２４）。指示を受けた船舶の乗員は、Ｇ８に則ったサンプリング方法によりバラスト水のサンプリングを行い、これをサンプル水として梱包し、当該寄港国の証明機関へ発送する。寄港国の検査サーバ１０２は、当該寄港国の証明サーバ１０３に精密判定を依頼する信号を送信することが好ましい。
【００８２】
一方、不備がない場合においても、検査サーバ１０２は、当該船舶１から排出されるバラスト水の簡易判定を行う（Ｓ２５）。
【００８３】
検査サーバ１０２は、簡易判定の結果、適合すると判定する場合は、検査を終了する（Ｓ２６）。適合しないと判定する場合、検査サーバ１０２は、後述する精密判定のためのＧ８に則ったバラスト水のサンプリングを指示する（Ｓ２７）。指示を受けた船舶の乗員は、Ｇ８に則ったサンプリング方法によりバラスト水のサンプリングを行い、これをサンプル水として梱包し、当該寄港国の証明機関へ発送する。寄港国の検査サーバ１０２は、当該寄港国の証明サーバ１０３に精密判定を依頼する信号を送信することが好ましい。
【００８４】
なお、不備が特に著しい場合、あるいは簡易判定の判定結果があまりにも悪い場合（生存生物濃度があまりにも高い場合）、検査官は、好ましくは検査サーバ１０２を介して、これ以上の排水を禁止する、更には当該船舶１を拘留する等の対応を取る信号を送信することもできる。
【００８５】
次に、Ｇ８に則った精密判定に係る処理フローの一例について説明する。
【００８６】
寄港国の検査機関は、証明機関に精密判定を依頼するに際して、上述したように、検査サーバ１０２から証明サーバ１０３に、精密判定を依頼する信号を送信することが好ましい。
【００８７】
精密判定を依頼する信号を受けた寄港国の証明機関は、船舶１から届いたサンプル水の生存生物濃度をＧ８に則って確認し、Ｇ８の基準を満たすか否かの精密判定結果を、証明サーバ１０３に入力する。
【００８８】
証明サーバ１０３は、入力された精密判定結果を、寄港国の検査サーバ１０２に出力する。
【００８９】
検査サーバ１０２に入力された精密判定結果が基準を満たすというものである場合、当該船舶１は、問題がなかったことになる。
【００９０】
一方、検査サーバ１０２に入力された精密判定結果が基準を満たさないというものである場合、当該寄港国の検査サーバ１０２は、当該寄港国の主管庁サーバ１０４に、当該船舶１が排水条約を満たさないことを示す情報を送信すると共に、寄港国の検査機関と主管庁との間で、処分の内容等について協議する。
【００９１】
処分として、当該船舶１がまだ港にいるのであれば、これ以上の排水を禁止する、更には当該船舶を拘留する等の対応を取ることができる。更に、寄港国の検査サーバ１０２は、船舶サーバ１や、当該船舶１の旗国主管庁サーバ１０や、旗国船級協会サーバ１０６に対して、当該船舶１がＧ８の基準を満たすよう是正を勧告する信号を送信する。
【００９２】
更に、寄港国の検査サーバ１０２は、証明サーバ１０３から入力された、当該船舶１がＧ８の基準を満たすか否かの精密判定結果を、寄港国が所属するＭＯＵサーバ１０９が管理するデータベースＤ１に入力する。
【００９３】
本発明において、この精密判定結果をデータベースＤ１により共有することは好ましいことである。具体的には、寄港国の検査サーバ１０２だけでなく、他国の検査機関がそれぞれ備える検査サーバ（不図示）に対しても、この精密判定結果が閲覧可能とされることが好ましい。
【００９４】
これにより、当該船舶１が既に港を出港していたとしても、例えば他国の検査機関は、各々の検査サーバがデータベースＤ１から情報を取得することによって、当該船舶１が排水基準を満たしていない違反船舶であることを確認できるようになる。これにより、他国の検査機関は、当該船舶１が自国の港湾域に寄港する予定であることを確認した場合、予めデータベースＤ１から当該船舶１が排水基準を満たしていない違反船舶であるか否かの情報を取得することができる。この情報に基づいて、自国の港湾域において排水基準を満たさない蓋然性が高いと判断した場合は、入港を禁止する等の対応を取ることもできる。
【００９５】
上述したように、寄港国の検査サーバ１０２から是正の勧告を受けた旗国主管庁サーバ１０５は、当該船舶１の船社サーバ１０８に改善を勧告する信号を送信する。これを受けて、船社サーバ１０８は、改善勧告を受けたことを示す信号を船舶管理会社サーバ１０７に送信し、船社と船舶管理会社との間で改善について協議する。
【００９６】
協議の後、船舶管理会社サーバ１０７は、旗国船級協会サーバ１０６に、改善内容と検査日程を含む情報を送信する。更に、船舶管理会社サーバ１０７は、ポータルサイトサーバＰに改善内容を出力する。
【００９７】
船舶１は、ポータルサイトサーバＰに入力された改善内容を、船舶サーバ１０１により閲覧し、これに従って改善を実行する。改善が終了したら、船舶サーバ１０１は、ポータルサイトサーバＰに、改善終了を示す信号を出力する。
【００９８】
船舶管理会社サーバ１０７は、ポータルサイトサーバＰに改善終了を示す信号が入力されたことを確認した後、船社サーバ１０８に、当該船舶１の改善が終了したことを示す信号を送信する。
【００９９】
船社サーバ１０８は、旗国主管庁サーバ１０５に、当該船舶１の改善が終了したことを示す信号を送信する。
【０１００】
旗国主管庁サーバ１０５は、旗国が所属するＭＯＵサーバ１１０が管理するデータベースＤ２に、当該船舶１の改善が終了したことを示す情報を入力する。
【０１０１】
これにより、データベースＤ１及びＤ２内に格納されている当該船舶１に係る来歴が更新される。
【０１０２】
データベースＤ１及びＤ２内に格納されている当該船舶１に係る来歴は、閲覧サーバ１１１によって、好ましくは統合され、寄港国の検査サーバ１０２を含む各国の検査機関が備える検査サーバに対して閲覧可能とされる。
【０１０３】
閲覧サーバ１１１は、データベースＤ１及びＤ２に蓄積された各国の多数の船舶にそれぞれ関連付けられたバラスト水管理に係る来歴を、検査サーバ等に閲覧させるに際して、これら多数の船舶情報を、旗国ごと、船社ごと、あるいは船舶管理会社ごとにソート（並べ替える）する処理を行うことも好ましいことである。
【０１０４】
本発明において、上述したポータルサイトサーバＰは、船舶におけるバラスト水管理に係るコンテンツとして、例えば下記のようなコンテンツを提供することも好ましいことである。
１．保守・メンテサービス
・定期点検、消耗品サプライ、
・不具合対応、技師派遣、
・サービス拠点ネットワーク
２．機器監視
・処理システムの稼動状況、
・センサ類の稼動状況
・システムの自己診断
３．船舶動静情報
・入出渠情報
４．営業情報（引合）、修繕情報
５．環境モニタリング
６．コミュニケーション
７．情報提供
【０１０５】
ポータルサイトサーバＰは、インターネット１００上に、これらコンテンツを提供するためのポータルサイトを構築し、例えば、バラスト水の処理装置事業会社、造船所、薬剤メーカー、商社、販売代理店、港湾事務所、船主・船舶管理会社、水質分析会社、機器メーカー等によって、少なくとも一部又は全部のコンテンツについて閲覧及び又は情報更新が可能とされることが好ましい。
【０１０６】
ポータルサイトサーバＰは、ポータルサイト内のコンテンツの閲覧及び又は情報更新に際して、認証キーの入力を要求することも好ましいことである。
【０１０７】
次に、渡航中の船舶においてバラスト水を計測するための好ましい手法について説明する。
【０１０８】
本発明において、バラスト水の計測は、船舶１が備えるバラストタンクに貯留されたバラスト水を計測するものであってもよいが、以下に説明するように、バラストタンクに対して別途設けられた模擬バラストタンク中に分取されたバラスト水を計測するものであることが特に好ましい。
【０１０９】
図５は、本発明に係る船舶管理システムを構成する船舶１の他の例を示す概略図であり、図２と同符号のものは同構成を示している。
【０１１０】
本態様では、微生物処理装置１４からバラストタンク１３へ移送する処理済みのバラスト水を移送するラインから、そのバラスト水の一部を模擬バラストタンク１８に分取して貯留する。
【０１１１】
この模擬バラストタンク１８を設けるのは、以下のような意義があるからである。ＩＭＯで定めたバラスト水管理条約では、バラスト水処理装置の性能確認は、陸上試験では５日後の水生生物の生存量を持って判定し、また、船上試験では、実運用に即した試験方法が推奨されてはいるが、ほとんどの試験は、５日以内の航海でもって判定している。従って、性能確認では、一旦殺滅（分離除去）処理した後、排出基準に挙げられた水生生物の指標では、ほとんど再増殖が問題とならなかった。しかし、米国が定めようとしている排出基準は、従属栄養細菌などを含むすべてのバクテリアに対して基準値が決められる可能性があり、再増殖が指摘されるようになった。殺滅及び又は分離除去処理が不十分であったり、あるいは長い航海において、一旦、活性物質に由来する残留オキシダント濃度が低下したりした場合、バクテリアが繁殖することが考えられるからである。
【０１１２】
バラストタンク１３内のバラスト水中の微生物濃度及び又は残留オキシダント濃度を、排出の前に予め分析することで、排出に際して、更なる処理が必要か否か容易に判断できる。しかし、バラストタンク１３内のバラスト水の水質を測定することは、バラストタンクの設置位置や設置環境により危険である。また、測定に際してバラストタンク１３内に雑菌が混入し、再増殖によりバラストタンク１３内の膨大な量のバラスト水を汚染してしまう懸念もある。
【０１１３】
本態様では、バラストタンク１３内の環境と類似の環境の模擬バラストタンク１８を設置したところ、バラストタンク１３内でのバクテリアの再増殖があれば、模擬バラストタンク１８内のバラスト水においても、同様にバクテリアが再増殖するという知見に基づく。またバラストタンク１３の環境において、バクテリアの再増殖を起こさせる因子として、温度と光が重要であるという知見に基づく。また、本発明者は、残留オキシダント濃度の変化についても、微生物濃度と同様に、バラストタンク１３と模擬バラストタンク１８とで同様の挙動を示すことを確認した。
【０１１４】
本発明において、模擬バラストタンク１８の容量は、該模擬バラストタンク１８がバラストタンクとしての機能を実質的に奏し得ない程度に小さいものであり、格別限定されるものではないが、具体的には、１００リットル〜１０００リットル程度の容量であることが好ましい。
【０１１５】
模擬バラストタンク１８は、バラストタンク１３と同様に遮光されることが好ましい。具体的には、模擬バラストタンク１８は、特にタンク本体及び開閉可能な蓋の材質を遮光性の金属で形成することが好ましい。海水腐蝕を考慮し、ステンレス製としてもよい。また遮光性及び耐食性の樹脂素材で形成してもよい。
【０１１６】
バラストタンク１３は、喫水（水面）Ｓより上にある場合と下にある場合とで、海水や外気温あるいは日光から受ける影響が変わる。喫水より上にある場合では、海水の温度から受ける影響が小さく、外気温や、鋼板を介して受ける日光の影響が大きくなる。一方、喫水より下にある場合では、海水の温度から受ける影響が大きく、外気温や、鋼板を介して受ける日光の影響が小さくなる。
【０１１７】
従って、模擬バラストタンク１８は、バラストタンク１３が周囲から受けるこれら影響と同じ影響を受けるように設けられることが好ましい。
【０１１８】
具体的には、図６に示すように、バラストタンク１３に対して設けられる模擬バラストタンク１８は、バラストタンク１３が喫水Ｓより上にある場合では、喫水Ｓより上に設けられ（図６（ａ））、バラストタンク１３が喫水Ｓより下にある場合では、喫水Ｓより下に設けられ（図６（ｂ））、あるいは、バラストタンク１３が喫水Ｓの上下に跨って設けられる場合では、喫水Ｓの上下に跨って設けられる（図６（ｃ））ことが好ましい。
【０１１９】
図６（ｂ）又は図６（ｃ）のように、バラストタンク１３が喫水Ｓより下にある場合には、模擬バラストタンク１８の周囲全体（図６（ｂ）の場合）または下部側のみ（図６（ｃ）の場合）をジャケット構造にして、船外の海水をそのジャケットに通水して保温する構造にすることも好ましい。
【０１２０】
船舶１が複数のバラストタンク１３を備える場合、模擬バラストタンク１８は、全てのバラストタンク１３の各々に対して、１ずつ設けることも好ましいが、全てのバラストタンク１３の数よりも少ない数で設けることも好ましい。
【０１２１】
本発明においては、以下に説明するように、１又は２以上、好ましくは３又は４以上の全てのバラストタンクに対して、２又は３の模擬バラストタンク１８を備えることが好ましい。
【０１２２】
図７は、船舶１が搭載する全てのバラストタンク１３に対して２つの模擬バラストタンク１８を備える態様の一例を示す概略図である。
【０１２３】
図７に示す通り、船舶１には複数（図示の例では６つ）のバラストタンク１３と、２つの模擬バラストタンク１８ａ及び１８ｂが設けられている。
【０１２４】
２つの模擬バラストタンク１８ａ及び１８ｂのうち、模擬バラストタンク１８ａは喫水より上に設けられ、模擬バラストタンク１８ｂは喫水より下に設けられている。模擬バラストタンク１８ａは、好ましくは、その内部が、鋼板を介して日光を受けるように設けられている。
【０１２５】
このように設けられた２つの模擬バラストタンク１８ａ及び１８ｂの各々の環境は、船舶１に設けられた全てのバラストタンク１３の各々の環境を代表することができる。つまり、全てのバラストタンク１３の各々の環境は、模擬バラストタンク１８ａの環境と、模擬バラストタンク１８ｂの環境との間の環境に納まる。従って、全てのバラストタンク１３の各々に対して模擬バラストタンク１８を設けなくても、全てのバラストタンク１３内の微生物濃度及び残留オキシダント濃度を間接的に把握することができる。
【０１２６】
図示の例では、２つの模擬バラストタンク１５ａ及び１５ｂを設ける場合について説明したが、喫水の上下に跨って設けられた３つ目の模擬バラストタンク（不図示）を更に設けることも、全てのバラストタンク１３内の微生物濃度及び残留オキシダント濃度をより精度よく把握する上で好ましいことである。
【０１２７】
本発明では、模擬バラストタンク１８を設けることで、バラストタンク１３に貯留されている処理済みバラスト水中におけるバクテリア再増殖の有無、あるいは残留オキシダントの残留状態について、バラストタンク１３内のバラスト水を分析せずに、模擬バラストタンク１８内のバラスト水を分析するだけで確認できる。
【０１２８】
具体的には、計測装置１５により、模擬バラストタンク１８内の水をサンプリングして、生存生物濃度（α）及び残留オキシダント濃度（β）を計測することができる。
【０１２９】
本発明において、「模擬バラストタンク１８内の水をサンプリングして計測する」とは、必ずしも模擬バラストタンク１８内の水を該模擬バラストタンク１８外に取り出して計測する場合に限定されず、模擬バラストタンク１８内の水を該模擬バラストタンク１８内で計測する場合も含む。但し、計測行為自体によって模擬バラストタンク１８内の水の環境を乱すことを防止し、所定の時間をおいて繰り返し計測を行う際の測定精度を向上する観点から、模擬バラストタンク１８内の水を該模擬バラストタンク１８外に取り出して計測することが好ましい。
【符号の説明】
【０１３０】
１：船舶
１１：シーチェスト
１２：取水ポンプ
１３：バラストタンク
１４：微生物処理装置
１５：計測装置
１５ａ：生存生物濃度測定装置
１５ｂ：残留オキシダント濃度測定装置
１６：排出口
１７：サンプリング装置
１００：インターネット
１０１：船舶サーバ
１０２：寄港国の検査サーバ
１０３：寄港国の証明サーバ
１０４：寄港国の主管庁サーバ
１０５：旗国（船籍国）の主管庁サーバ
１０６：旗国の船級協会サーバ
１０７：旗国の船舶管理会社サーバ
１０８：旗国の船社サーバ
１０９：寄港国が所属するＭＯＵサーバ
１１０：旗国が所属するＭＯＵサーバ
１１１：閲覧サーバ
Ｐ：ポータルサイトサーバ
【図１】
0005727954.tif 000002
【図２】
0005727954.tif 000003
【図３】
0005727954.tif 000004
【図４】
0005727954.tif 000005
【図５】
0005727954.tif 000006
【図６】
0005727954.tif 000007
【図７】
0005727954.tif 000008